(57)【要約】      （修正有）【課題】小型化を実現しつつ、無線通信モジュールの通信性能を維持することができる画像読取装置を提供する。【解決手段】無線通信モジュール１００は、回路基板１０１と、回路基板１０１上のアンテナ１０３とを有する。無線通信モジュール１００は、搬送ガイド部より下側に収容された制御基板５４に対して直交しつつ第１側壁部３３Ｒに沿うように上向きに延びている。搬送部は、筐体３０内の中央部に設けられた分離ローラ４８と、分離ローラ４８と同軸上に配され、駆動源４０Ｍから分離ローラ４８に駆動力を伝達する駆動軸４８Ｓとを有する。駆動軸４８Ｓは、分離ローラ４８の第１側壁部３３Ｒ側の端面４８Ｒの近傍より第２側壁部３３Ｌ側のみに配される。読取部は、左右方向に側壁部まで延びている。無線通信モジュール１００は、媒体の搬送方向において、読取部より上流側に位置する。【選択図】図９
2014195186.tif 000002
【特許請求の範囲】
【請求項１】
媒体を案内する搬送ガイド部と、前記搬送ガイド部の幅方向の一端側に位置する第１側壁部と、前記幅方向の他端側に位置する第２側壁部とを有する筐体と、
前記筐体における前記第２側壁部側に収容され、駆動力を発生する駆動源と、
前記筐体に収容され、前記駆動源に駆動されて前記媒体を前記搬送ガイド部において搬送する搬送部と、
前記筐体に収容され、前記搬送ガイド部において搬送される前記媒体の画像を読み取る読取部と、
前記筐体における前記搬送ガイド部より下側に収容され、前記幅方向に延び少なくとも前記駆動源及び前記読取部を制御する制御基板と、
前記筐体における前記第１側壁部側に収容され、前記制御基板と外部との無線通信を実現する無線通信モジュールとを備え、
前記無線通信モジュールは、無線通信回路が搭載された回路基板と、前記回路基板上に配線されたアンテナとを有し、前記制御基板に対して直交しつつ前記第１側壁部に沿うように上向きに延びて配置され、
前記搬送部は、前記筐体内における前記幅方向の中央部に設けられ、前記媒体を１枚ずつ分離して前記搬送ガイド部に送り出すように構成される分離ローラと、前記分離ローラと同軸上に配され、前記駆動源から前記分離ローラに前記駆動力を伝達する駆動軸とを有し、
前記駆動軸は、前記分離ローラの前記第１側壁部側の端面の近傍より前記第２側壁部側のみに配され、
前記読取部は、前記幅方向の一端側の第１端部から前記幅方向の他端側の第２端部まで延び、
前記無線通信モジュールは、前記媒体が前記搬送ガイド部において搬送される搬送方向において、前記第１端部より上流側に位置していることを特徴とする画像読取装置。
【請求項２】
前記筐体は、前記幅方向の長さが前記搬送ガイド部より小さく形成され、前記幅方向において前記分離ローラと前記無線通信モジュールとの間に位置し、前記搬送ガイド部に合流して幅狭の媒体を案内する第２搬送ガイド部をさらに有し、
前記分離ローラは、前記搬送ガイド部に配置されている請求項１記載の画像読取装置。
【請求項３】
前記第１側壁部には、前記筐体に変位可能に支持された付属部材の姿勢を検出する検出部と、前記検出部を保持するホルダ部とが設けられ、
前記ホルダ部は、樹脂材料からなる請求項１又は２記載の画像読取装置。
【請求項４】
前記制御基板及び前記無線通信モジュールの一方はコネクタを有し、前記制御基板及び前記無線通信モジュールの他方は前記コネクタに嵌入するピン部を有し、
前記ピン部及び前記コネクタは、前記無線通信モジュールが前記幅方向の一端側から前記幅方向の他端側に向かって変位することにより、前記ピン部が前記コネクタに嵌入するように設定され、
前記ホルダ部は、前記無線通信モジュールに対し、前記幅方向の一端側から隣接する状態で前記筐体に組み付けられている請求項３記載の画像読取装置。
【請求項５】
前記制御基板及び前記無線通信モジュールの一方はコネクタを有し、前記制御基板及び前記無線通信モジュールの他方は前記コネクタに嵌入するピン部を有している請求項１乃至４のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、筐体と駆動源と搬送部と読取部とを備えている。筐体は、媒体を案内する搬送ガイド部を有している。駆動源は、筐体に収容され、駆動力を発生する。搬送部は、筐体に収容され、駆動源に駆動されて媒体を搬送ガイド部において搬送する。読取部は、筐体に収容され、搬送ガイド部において搬送される媒体の画像を読み取る。
【先行技術文献】
【特許文献】
【０００３】
【特許文献１】特開２０１２−１００１１５号公報
【発明の概要】
【発明が解決しようとする課題】
【０００４】
ところで、上記従来の画像読取装置では、一般的に、筐体内に駆動源及び読取部を制御する制御基板が収容されている。また、この画像読取装置では、制御基板と外部通信機器との無線通信を実現する無線通信モジュールが設けられる場合がある。そして、無線通信モジュールは、画像読取装置の小型化を優先し、駆動源及び制御基板とともに筐体内に配置される。このため、その画像読取装置では、無線通信モジュールによって送受信される電波が駆動源及び制御基板に阻害されるおそれがある。その結果、この画像読取装置では、小型化を実現しつつ、無線通信モジュールの通信性能を維持することが難しい。
【０００５】
本発明は、上記従来の実情に鑑みてなされたものであって、小型化を実現しつつ、無線通信モジュールの通信性能を維持することができる画像読取装置を提供することを目的とする。
【課題を解決するための手段】
【０００６】
本発明の画像読取装置は、媒体を案内する搬送ガイド部と、搬送ガイド部の幅方向の一端側に位置する第１側壁部と、幅方向の他端側に位置する第２側壁部とを有する筐体と、
筐体における第２側壁部側に収容され、駆動力を発生する駆動源と、
筐体に収容され、駆動源に駆動されて媒体を搬送ガイド部において搬送する搬送部と、
筐体に収容され、搬送ガイド部において搬送される媒体の画像を読み取る読取部と、
筐体における搬送ガイド部より下側に収容され、幅方向に延び少なくとも駆動源及び読取部を制御する制御基板と、
筐体における第１側壁部側に収容され、制御基板と外部との無線通信を実現する無線通信モジュールとを備え、
無線通信モジュールは、無線通信回路が搭載された回路基板と、回路基板上に配線されたアンテナとを有し、制御基板に対して直交しつつ第１側壁部に沿うように上向きに延びて配置され、
搬送部は、筐体内における幅方向の中央部に設けられ、媒体を１枚ずつ分離して搬送ガイド部に送り出すように構成される分離ローラと、分離ローラと同軸上に配され、駆動源から分離ローラに駆動力を伝達する駆動軸とを有し、
駆動軸は、分離ローラの第１側壁部側の端面の近傍より第２側壁部側のみに配され、
読取部は、幅方向の一端側の第１端部から幅方向の他端側の第２端部まで延び、
無線通信モジュールは、媒体が搬送ガイド部において搬送される搬送方向において、第１端部より上流側に位置していることを特徴とする。
【０００７】
本発明の画像読取装置では、無線通信モジュールは、搬送ガイド部より下側に位置する制御基板に対して直交しつつ、駆動源から離れた第１側壁部に沿うように上向きに延びている。要するに、無線通信モジュールは、駆動源から離れた位置で、横置きの制御基板に対して上向きに縦置きされている。これにより、この画像読取装置では、無線通信モジュールによって送受信される電波が駆動源及び制御基板に阻害され難い。つまり、無線通信モジュールのアンテナが第１側壁部に沿うように配置されていることから、アンテナと外部との境に電波を邪魔する部材が少なくなるため、外部通信機器との電波の送受信を良好に行うことができる。
【０００８】
また、この画像読取装置では、駆動軸が分離ローラにおける幅方向の一端側で途切れているので、筐体内における幅方向の一端側に空きスペースが形成される。このため、その空きスペースに、無線通信モジュールを容易に配設することができる。また、読取部の第１端部と第１側壁部との間に無線通信モジュールが介在しないので、読取部の第１端部を第１側壁部に隣接させることができる。その結果、この画像読取装置では、小型化を実現できる。
【０００９】
したがって、本発明の画像読取装置では、小型化を実現しつつ、無線通信モジュールの通信性能を維持することができる。
【図面の簡単な説明】
【００１０】
【図１】実施例の画像読取装置に係り、シートトレイを開いた状態の前方を主に示す斜視図である。
【図２】実施例の画像読取装置に係り、シートトレイを閉じた状態の後方を主に示す斜視図である。
【図３】実施例の画像読取装置に係り、シートトレイを閉じた状態の前方を主に示す斜視図である。
【図４】実施例の画像読取装置に係り、シートトレイを開いた状態を示す模式上面図である。
【図５】実施例の画像読取装置に係り、図４のＡ−Ａ断面を示す断面図である。
【図６】実施例の画像読取装置に係り、図４のＢ−Ｂ断面であって、シートトレイを閉じた状態を示す断面図である。
【図７】実施例の画像読取装置に係り、第１シュート部材を揺動させた状態を示す斜視図である。
【図８】実施例の画像読取装置に係り、分離ローラ及び駆動軸を主に示す分解斜視図である。
【図９】実施例の画像読取装置に係り、図４のＣ−Ｃ断面を示す断面図である。
【図１０】実施例の画像読取装置に係り、制御基板、無線通信モジュール及びホルダ部を主に示す部分分解斜視図である。
【図１１】実施例の画像読取装置に係り、図９と同様の断面において、制御基板、無線通信モジュール及びホルダ部を主に示す部分分解断面図である。
【発明を実施するための形態】
【００１１】
以下、本発明に係る画像読取装置を具体化した実施例を図面を参照しつつ説明する。
【００１２】
（実施例）
図１に示すように、実施例の画像読取装置１は、本発明の画像読取装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００１３】
＜構成＞
図１〜図８に示すように、画像読取装置１は、筐体３０と、シートトレイ３６とを備えている。筐体３０は、第１シュート部材３１と、第２シュート部材３２と、第１側壁部３３Ｒと、第２側壁部３３Ｌとが組み合わされてなる。
【００１４】
上側に位置する第１シュート部材３１と、下側に位置する第２シュート部材３２とは、上下方向の間隔を有して互いに対向している。右側の第１側壁部３３Ｒと左側の第２側壁部３３Ｌとは、第１シュート部材３１及び第２シュート部材３２を左右方向の外側から挟んでいる。
【００１５】
図１及び図５〜図７に示すように、第１シュート部材３１は、上面３１Ａ、前面３１Ｂ及び上側案内面３１Ｇ等を有している。上面３１Ａは、上方を向く平面である。上面３１Ａは、後方から前方に向かって下り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、上面３１Ａの後端縁の下側から前方に向かって下り傾斜している。上側案内面３１Ｇは、第１シュート部材３１における前後方向の略中央において前方に向きを変える。上側案内面３１Ｇは、前方に向かって略水平に延びて、前面３１Ｂの下端縁３１ＢＡに連続している。要するに、第１シュート部材３１は、後方から前方に向かって下り傾斜している。
【００１６】
図１、図２及び図５〜図７に示すように、第２シュート部材３２は、前面３２Ｂ、下側案内面３２Ｇ及び後面３２Ｃを有している。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、後面３２Ｃの上端縁の上側から上側案内面３１Ｇに沿うように、前方に向かって下り傾斜している。下側案内面３２Ｇは、第２シュート部材３２における前後方向の中央において前方に向きを変える。下側案内面３２Ｇは、前方に向かって水平に延びて、前面３２Ｂの上端縁３２ＢＡに連続している。後面３２Ｃは、後方を向く平面である。後面３２Ｃは、下方に向かって略垂直に延びている。
【００１７】
図６及び図８等に示すように、第２シュート部材３２は、下側カード案内面３２Ｊ及び上側カード案内面３２Ｈを有している。下側カード案内面３２Ｊは、下側案内面３２Ｇの水平部分における右端部に連続し、後方に向かって水平に延びて後面３２Ｃまで達している。上側カード案内面３２Ｈは、下側カード案内面３２Ｊに対して上方に離間している。上側カード案内面３２Ｈは、下側カード案内面３２Ｊと平行に、後方に向かって水平に延びて後面３２Ｃまで達している。図６に示すように、上側カード案内面３２Ｈの上下方向の高さは、上側案内面３１Ｇの水平部分の上下方向の高さとほぼ同じである。
【００１８】
なお、上側案内面３１Ｇ、下側案内面３２Ｇ、上側カード案内面３２Ｈ、下側カード案内面３２Ｊは、平滑な平面からなる構成に限定されず、複数のリブの先端縁等によって構成されていてもよい。
【００１９】
図４及び図６に示すように、下側カード案内面３２Ｊが下側案内面３２Ｇの水平部分における右端部に連続する位置を合流位置Ｊ１とする。
【００２０】
図１及び図５等に示すように、筐体３０には、第１導入口１１と、排出口１３とが形成されている。
【００２１】
第１導入口１１に、シートＳＨが挿入される。シートＳＨは、例えば、用紙やＯＨＰシート等である。シートＳＨは、本発明の「媒体」の一例である。
【００２２】
より詳しくは、図５に示すように、第１導入口１１は、第１シュート部材３１と第２シュート部材３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１側壁部３３Ｒの近傍から左側の第２側壁部３３Ｌの近傍まで、左右方向に延びている。第１導入口１１の左右方向の長さは、シートＳＨの幅よりも長くされている。
【００２３】
図１及び図５に示すように、排出口１３から、シートＳＨが排出される。排出口１３は、第１シュート部材３１と第２シュート部材３２との間に形成されている。より詳しくは、排出口１３は、前面３１Ｂの下端縁３１ＢＡと、前面３２Ｂの上端縁３２ＢＡとの隙間である。排出口１３は、右側の第１側壁部３３Ｒの近傍から左側の第２側壁部３３Ｌの近傍まで、左右方向に延びている。排出口１３の左右方向の長さは、第１導入口１１と同様、シートＳＨの幅よりも長くされている。
【００２４】
図４〜図６に示すように、画像読取装置１は、搬送ガイド部１０を備えている。搬送ガイド部１０は、第１シュート部材３１の上側案内面３１Ｇと、第２シュート部材３２の下側案内面３２Ｇとに上下方向から挟まれてなる通路により、第１搬送経路Ｐ１を形成している。搬送ガイド部１０は、第１搬送経路Ｐ１に沿って、シートＳＨを第１導入口１１から排出口１３へ案内する。
【００２５】
搬送ガイド部１０は、第１導入口１１から前方に向かって下り傾斜している。そして、搬送ガイド部１０は、筐体３０における前後方向の中央において前向きに屈曲し、排出口１３まで水平に延びている。
【００２６】
搬送ガイド部１０の幅方向である左右方向は、本発明の「幅方向」の一例である。また、本実施例において、搬送ガイド部１０の幅方向の一端側は右端側であり、搬送ガイド部１０の幅方向の他端側は左端側である。第１側壁部３３Ｒは、搬送ガイド部１０の右端側に位置し、第２側壁部３３Ｌは、搬送ガイド部１０の幅方向の左端側に位置している。
【００２７】
図７に示すように、第１シュート部材３１は、回動軸心Ｘ３１周りに筐体３０に揺動可能に組み付けられている。回動軸心Ｘ３１は、第１シュート部材３１の前面３１Ｂの下端縁３１ＢＡ側に位置して左右方向に延びている。第１シュート部材３１が第２シュート部材３２に対して上方に離間するように揺動することにより、搬送ガイド部１０が開放される。
【００２８】
図４に示すように、搬送ガイド部１０において、合流位置Ｊ１より排出口１３側、かつ右端側に位置する領域は、カード搬送領域２９とされている。
【００２９】
図２及び図６等に示すように、筐体３０には、第２導入口１２が形成されている。第２導入口１２に、シートＳＨより幅狭であるカードＣＡが挿入される。カードＣＡは、シートＳＨより小面積の枚葉である。カードＣＡは、例えば、名刺、キャッシュカード、会員証又は免許証等である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であるとともに剛性が高い。カードＣＡも、本発明の「媒体」の一例である。
【００３０】
より詳しくは、図６に示すように、第２導入口１２は、第２シュート部材３２に形成されている。第２導入口１２は、後面３２Ｃにおける上下方向の中間部、かつ右側の第１側壁部３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長くされている。第２導入口１２の上下方向の高さは、搬送ガイド部１０の水平部分及び排出口１３の上下方向の高さとほぼ同じである。第２導入口１２は、第１導入口１１の右端側と上下方向において重なる位置にある。
【００３１】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３２】
図４、図６及び図８に示すように、画像読取装置１は、第２搬送ガイド部２０を備えている。第２搬送ガイド部２０は、第２シュート部材３２の上側カード案内面３２Ｈと下側カード案内面３２Ｊとに上下方向から挟まれてなる通路により、図６に示す第２搬送経路Ｐ２を形成している。第２搬送ガイド部２０は、合流位置Ｊ１において、搬送ガイド部１０に合流する。第２搬送ガイド部２０は、第２搬送経路Ｐ２に沿って、第２導入口１２から挿入されたカードＣＡを搬送ガイド部１０に合流するように案内する。
【００３３】
第２搬送ガイド部２０が搬送ガイド部１０に合流する合流位置Ｊ１は、上側案内面３１Ｇ及び下側案内面３２Ｇの前方から後方に向かって下り傾斜する部分から水平に向きを変える部分に設定されている。これにより、第２搬送ガイド部２０と、搬送ガイド部１０の右端側に位置するカード搬送領域２９とは、後方の第２導入口１２から前方の排出口１３の右端側まで水平に延びている。第２搬送ガイド部２０とカード搬送領域２９とは、第２導入口１２から排出口１３の右端側へカードＣＡを案内する。
【００３４】
図１に示すように、シートトレイ３６は、基部３６Ａ、中間部３６Ｂ及び先端部３６Ｃを有している。基部３６Ａは、左右方向に延びる回動軸心Ｘ３６Ａ周りに回動可能に第１側壁部３３Ｒ及び第２側壁部３３Ｌに支持されている。中間部３６Ｂは、基部３６Ａの回動軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００３５】
図１及び図５に示すように、シートトレイ３６が開いた状態では、基部３６Ａ、中間部３６Ｂ及び先端部３６Ｃが下側案内面３２Ｇの傾斜部分に連続するように後方に向かって上り傾斜し、第１導入口１１を開放している。シートトレイ３６には、１枚又は複数枚のシートＳＨが載置される。シートトレイ３６は、左右一対の幅規制ガイド３６Ｗを有している。幅規制ガイド３６Ｗは、シートトレイ３６に載置されるシートＳＨを左右方向の外側から挟んで左右方向の位置決めを行う。シートトレイ３６に載置されたシートＳＨは、第１導入口１１に挿入され、搬送ガイド部１０により排出口１３へ案内される。
【００３６】
図２、図３及び図６に示すように、シートトレイ３６が閉じた状態では、基部３６Ａが垂直になって第２シュート部材３２の後面３２Ｃと面一になり、中間部３６Ｂが第１シュート部材３１の上面３１Ａを上方から覆い、先端部３６Ｃが第１シュート部材３１の前面３１Ｂを前方から覆っている。図２及び図３に示すように、操作開口３９は、シートトレイ３６が閉じた状態でタッチパネル７０を外部に露出させている。
【００３７】
図４〜図６及び図９等に示すように、画像読取装置１は、制御基板５４と、駆動源４０Ｍと、搬送部４０と、読取部５５とを備えている。
【００３８】
図５、図６、図９及び図１０に示すように、制御基板５４は、筐体３０における搬送ガイド部１０より下側、より詳しくは、第２シュート部材３２の底部に収容されている。図９に示すように、制御基板５４は、右側の第１側壁部３３Ｒの近傍から左側の第２側壁部３３Ｌ及び駆動源４０Ｍの近傍まで、左右方向に延びている。制御基板５４上には、ＣＰＵ、ＲＯＭ及びＲＡＭ等の制御回路が搭載されている。制御基板５４には、ＡＣアダプタ及び給電コードを介して、家庭用コンセントから電力が供給される。制御基板５４は、駆動源４０Ｍ、読取部５５、タッチパネル７０等に電気的に接続され、適宜それらに電力を供給して制御を行う。
【００３９】
図４及び図９に示すように、駆動源４０Ｍは、筐体３０内における左側の第２側壁部３３Ｌに隣接するように設けられている。駆動源４０Ｍは、モータ及び伝達ギヤ群を有している。駆動源４０Ｍは、そのモータが制御基板５４に制御されることにより、駆動力を発生する。
【００４０】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、搬送ガイド部１０において、第１導入口１１から排出口１３に向かってシートＳＨが搬送される搬送方向、すなわち後方から前方から向かう方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。
【００４１】
図５及び図８等に示すように、分離ローラ４８は、第２シュート部材３２内に回転可能に支持されている。分離ローラ４８の上部は、下側案内面３２Ｇの傾斜部分から搬送ガイド部１０に露出している。
【００４２】
図４及び図８に示すように、分離ローラ４８は、筐体３０内において、搬送ガイド部１０に配置されている。分離ローラ４８は、搬送ガイド部１０における左右方向の中央部に位置している。分離ローラ４８は、駆動軸４８Ｓにより、駆動源４０Ｍに連結されている。駆動軸４８Ｓは、分離ローラ４８と同軸上に配されて左右方向に延びている。
【００４３】
図８及び図９に示すように、駆動軸４８Ｓは、２本の軸体が同軸で連結されてなる。駆動軸４８Ｓの右端部は、分離ローラ４８の右端面４８Ｒより僅かに右方に突出し、第２シュート部材３２により回転可能に支持されている。駆動軸４８Ｓの右端部は、カード搬送領域２９より左側で途切れている。すなわち、駆動軸４８Ｓは、分離ローラ４８の右端面４８Ｒの近傍より第２側壁部３３Ｌ側のみに配されている。駆動軸４８Ｓは、駆動源４０Ｍから分離ローラ４８に駆動力を伝達する。
【００４４】
分離ローラ４８は、制御基板５４が駆動源４０Ｍを制御することにより、駆動軸４８Ｓを介して駆動源４０Ｍに駆動される。そして、図５に示すように、分離ローラ４８は、シートトレイ３６に載置されたシートＳＨに当接しつつ回転することにより、そのシートＳＨを搬送ガイド部１０に送り出す。
【００４５】
図７に示すように、分離パッド４９は、第１シュート部材３１に組み付けられている。図５に示すように、分離パッド４９は、上側案内面３１Ｇにおいて搬送ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、搬送ガイド部１０において搬送されるシートＳＨを挟んで一枚ずつ分離し得る。
【００４６】
図４〜図８に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００４７】
第１搬送ローラ対４１Ａ、４１Ｂは、カード搬送領域２９外に位置し、搬送ガイド部１０においてシートＳＨをニップして搬送する。第２搬送ローラ対４１Ｄは、カード搬送領域２９内に位置し、搬送ガイド部１０のカード搬送領域２９においてカードＣＡをニップして搬送する。
【００４８】
第２読取部５５Ｂは、第２シュート部材３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において搬送ガイド部１０に露出している。
【００４９】
第１読取部５５Ａは、第１シュート部材３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において搬送ガイド部１０に露出している。
【００５０】
図４及び図８に示すように、第１読取部５５Ａ及び第２読取部５５Ｂは、右側の第１側壁部３３Ｒの近傍に位置する第１端部５５Ｒから、左側の第２側壁部３３Ｌの近傍に位置する第２端部５５Ｌまで延びている。図４〜図６に示すように、第１読取部５５Ａ及び第２読取部５５Ｂは、第１読取部５５Ａが排出口１３に対して第２読取部５５Ｂよりも近い位置にある状態で、カード搬送領域２９を含む搬送ガイド部１０全体を上下方向から挟むように対向している。
【００５１】
上記構成により、第１読取部５５Ａ及び第２読取部５５Ｂは、シートＳＨが搬送ガイド部１０において搬送される場合、そのシートＳＨの両面の画像を読み取る。また、第１読取部５５Ａ及び第２読取部５５Ｂは、第２搬送ガイド部２０に案内されて搬送ガイド部１０に合流したカードＣＡがカード搬送領域２９において搬送される場合、そのカードＣＡの両面の画像を読み取る。
【００５２】
図４〜図８に示すように、下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００５３】
第１搬送ローラ対４２Ａ、４２Ｂ、４２Ｃは、カード搬送領域２９外に位置し、搬送ガイド部１０において搬送されるシートＳＨをニップして回転し、シートＳＨを排出口１３から筐体３０の外部に排出する。第２搬送ローラ対４２Ｄは、カード搬送領域２９内に位置し、カード搬送領域２９において画像が読み取られたカードＣＡをニップして回転し、カードＣＡを排出口１３の右端側から筐体３０の外部に排出する。
【００５４】
図１及び図５に示すように、タッチパネル７０は、第１シュート部材３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００５５】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００５６】
＜無線通信モジュールの構成＞
図４及び図９〜図１１に示すように、画像読取装置１は、無線通信モジュール１００を備えている。無線通信モジュール１００は、筐体３０における第１側壁部３３Ｒ側に収容されている。
【００５７】
より詳しくは、図８〜図１１に示すように、第１側壁部３３Ｒは、内側フレーム３３Ｆと、カバー３３Ｃとを有している。内側フレーム３３Ｆは、第２シュート部材３２の右端部に連結されている。内側フレーム３３Ｆには、収容部３３Ｗが形成されている。収容部３３Ｗは、左側に向けて略箱状に膨らんでいる。図８に示すように、収容部３３Ｗは、第１導入口１１から排出口１３に向かってシートＳＨが搬送される搬送方向において、読取部５５の第１端部５５Ｒより上流側、すなわち、後面３２Ｃ側に位置している。収容部３３Ｗは、前後方向に見て、読取部５５の第１端部５５Ｒと重なっている。図９及び図１０に示すように、カバー３３Ｃは、内側フレーム３３Ｆを右側から覆って、画像読取装置１の右側の意匠面を形成している。
【００５８】
無線通信モジュール１００は、収容部３３Ｗとカバー３３Ｃとによって区画される内部空間３３Ｓに収容されている。図４に示すように、無線通信モジュール１００は、前後方向に見て、読取部５５の第１端部５５Ｒと重なっている。左右方向において無線通信モジュール１００と分離ローラ４８との間には、第２搬送ガイド部２０が位置している。
【００５９】
図９〜図１１に示すように、無線通信モジュール１００は、制御基板５４に対して直交しつつ、第１側壁部３３Ｒの収容部３３Ｗの右面に沿うように上向きに延びて配置されている。
【００６０】
より詳しくは、無線通信モジュール１００は、回路基板１０１とアンテナ１０３とピン部１０１Ｐとを有している。回路基板１０１は、前後方向及び左右方向に平板状の延在する基板である。回路基板１０１の右面には、スポンジシート１０１Ｓが貼り付けられている。回路基板１０１の左面の下側には、無線通信回路１０２が搭載されている。
【００６１】
アンテナ１０３は、回路基板１０１の左面の無線通信回路１０２より上側に配線されている。アンテナ１０３は、回路基板１０１の表面にエッチング等によってパターン形成されている。図９に示すように、アンテナ１０３の殆ど全体は、下側カード案内面３２Ｊより上側に位置している。
【００６２】
図１１に示すように、ピン部１０１Ｐは、回路基板１０１の下端部に設けられている。ピン部１０１Ｐは、複数の接続端子を左方に向けて突出させている。制御基板５４は、ピン部１０１Ｐが嵌入するコネクタ５４Ｃを有している。コネクタ５４Ｃは、制御基板５４の右端縁側に位置している。無線通信モジュール１００が筐体の３０の右端側から左端に向かって変位することにより、図９に示すように、ピン部１０１Ｐがコネクタ５４Ｃに嵌入する。ここで、無線通信モジュール１００は、揺動可能な第１シュート部材３１側ではなく制御基板５４に固定されており、第１シュート部材３１に配する場合に比べて制御基板５４との間の距離を変位することなく安定して接続することができる。また、無線通信モジュール１００は、分離ローラ４８を介して左端側に配された駆動源４０Ｍとは反対側の右端側に配されており、駆動源４０Ｍから発生するノイズの影響も受け難い。
【００６３】
このような構成を備える無線通信モジュール１００は、制御基板５４と外部との無線通信を実現する。例えば、制御基板５４は、画像読取装置１が画像読取を行うことによって得られたシートＳＨ又はカードＣＡの画像データを無線通信モジュール１００によって外部の情報処理装置に向けて送信する。また、制御基板５４は、外部の情報処理装置から画像読取の開始指令等の各種指令が画像読取装置１に向けて送信されると、無線通信モジュール１００によってその指令を受信し、その指令に対応する動作を実行する。
【００６４】
＜検出部及びホルダ部の構成＞
図９〜図１１に示すように、第１側壁部３３Ｒには、２個のマイクロスイッチ１３１、１３６と、ホルダ部１３０とが設けられている。マイクロスイッチ１３１、１３６は、本発明の「検出部」の一例である。マイクロスイッチ１３１、１３６及びホルダ部１３０は、収容部３３Ｗとカバー３３Ｃとによって区画される内部空間３３Ｓに無線通信モジュール１００とともに収容されている。
【００６５】
図１０に示すように、ホルダ部１３０は、樹脂材料からなり、マイクロスイッチ１３１、１３６を保持している。図９及び図１１に示すように、ホルダ部１３０は、無線通信モジュール１００に対し、筐体３０の右端側から隣接する状態で、ネジ１３０Ｔによって筐体３０に組み付けられている。この状態で、ホルダ部１３０は、回路基板１０１のスポンジシート１０１Ｓに当接している。
【００６６】
図７に示すように、第１シュート部材３１の右端部には、突起３１Ｔが形成されている。第１シュート部材３１が閉じた状態では、図１０に示すように、突起３１Ｔが内部空間３３Ｓに進入して、マイクロスイッチ１３１のレバーを押す。これにより、マイクロスイッチ１３１は、第１シュート部材３１が閉じた状態にあることを検出する。その一方、図７に示すように、第１シュート部材３１が開いた状態では、突起３１Ｔがマイクロスイッチ１３１のレバーを押さなくなるので、マイクロスイッチ１３１は、第１シュート部材３１が開いた状態にあることを検出する。マイクロスイッチ１３１の検出結果は、制御基板５４に伝達される。
【００６７】
図８及び図１０に示すように、シートトレイ３６の基部３６Ａの右端角部には、突起３６Ｔが形成されている。シートトレイ３６が開いた状態では、図１０に示すように、突起３６Ｔが内部空間３３Ｓに進入して、マイクロスイッチ１３６のレバーを押す。これにより、マイクロスイッチ１３６は、シートトレイ３６が開いた状態にあることを検出する。その一方、シートトレイ３６が閉じた状態では、突起３６Ｔがマイクロスイッチ１３６のレバーを押さなくなるので、マイクロスイッチ１３６は、シートトレイ３６が閉じた状態にあることを検出する。マイクロスイッチ１３６の検出結果は、制御基板５４に伝達される。
【００６８】
第１シュート部材３１及びシートトレイ３６は、本発明の「付属部材」の一例である。
【００６９】
＜シート及びカードの画像読取動作＞
この画像読取装置１では、以下のようにして、シートＳＨ及びカードＣＡの画像が読み取られる。
【００７０】
図１及び図５に示すように、シートＳＨの画像が読み取られる場合、ユーザにより、シートトレイ３６が開いた状態とされる。シートトレイ３６が開いた状態であれば、その状態が維持される。そして、ユーザにより、シートトレイ３６にシートＳＨが載置される。制御基板５４は、タッチパネル７０からシートＳＨの読取指示があった場合や、外部の情報処理装置からの無線通信によるシートＳＨの読取指示を無線通信モジュール１００が受信した場合、図示しないシート検出センサによってシートトレイ３６にシートＳＨが載置されていることを確認した上で、シートＳＨの画像読取動作を開始する。
【００７１】
そうすると、制御基板５４は、駆動源４０Ｍに駆動力を発生させるように制御する。そうすると、まず、分離ローラ４８が分離パッド４９とシートＳＨを挟みながら回転する。分離ローラ４８は、シートトレイ３６上のシートＳＨを第１導入口１１から導入し、シートＳＨを搬送ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００７２】
次に、上流側搬送部４１の第１搬送ローラ対４１Ａ、４１Ｂによって、分離ローラ４８に送り出されたシートＳＨを搬送ガイド部１０において搬送する。搬送ガイド部１０において搬送されるシートＳＨの両面の画像が第１読取部５５Ａ及び第２読取部５５Ｂにより読み取られる。画像が読み取られたシートＳＨは、下流側搬送部４２の第１搬送ローラ対４２Ａ、４２Ｂ、４２Ｃによって、排出口１３から筐体３０の外部に排出される。
【００７３】
一方、図２、図３及び図６に示すように、カードＣＡの画像が読み取られる場合、ユーザにより、シートトレイ３６が閉じた状態とされる。シートトレイ３６が閉じた状態であれば、その状態が維持される。そして、図２に示すように、ユーザにより、カードＣＡが筐体３０の後方から第２導入口１２に差し込まれる。そうすると、カードＣＡは、第２搬送ガイド部２０を通過し、その先端がカード搬送領域２９に到達する。制御基板５４は、タッチパネル７０からカードＣＡの読取指示があった場合や、外部の情報処理装置からの無線通信によるカードＣＡの読取指示を無線通信モジュール１００が受信した場合、図示しないカード検出センサによって第２導入口１２からカードＣＡが挿入されていることを確認した上で、カードＣＡの画像読取動作を開始する。
【００７４】
そうすると、制御基板５４は、駆動源４０Ｍに駆動力を発生させるように制御する。そうすると、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第２搬送ローラ対４２Ｄによって、排出口１３から筐体３０の外部に排出される。
【００７５】
＜作用効果＞
実施例の画像読取装置１では、無線通信モジュール１００は、搬送ガイド部１０より下側、すなわち、第２シュート部材３２の底部に位置して左右方向に延びる制御基板５４に対して直交しつつ、駆動源４０Ｍから離れた第１側壁部３３Ｒに沿うように上向きに延びている。要するに、無線通信モジュール１００は、駆動源４０Ｍから離れた位置で、横置きの制御基板５４に対して上向きに縦置きされている。これにより、この画像読取装置１では、無線通信モジュール１００によって送受信される電波が駆動源４０Ｍ及び制御基板５４に阻害され難い。つまり、無線通信モジュール１００のアンテナ１０３が第１側壁部３３Ｒに沿うように配置されていることから、アンテナ１０３と外部との境に電波を邪魔する部材が少なくなるため、外部通信機器との電波の送受信を良好に行うことができる。
【００７６】
また、この画像読取装置１では、駆動軸４８Ｓが分離ローラ４８の右端面４８Ｒ側で途切れているので、筐体３０内の右端側に空きスペースが形成される。このため、その空きスペースに、無線通信モジュール１００を容易に配設することができる。また、読取部５５の第１端部５５Ｒと第１側壁部３３Ｒとの間に無線通信モジュール１００が介在しないので、読取部５５の第１端部５５Ｒを第１側壁部３３Ｒに隣接させることができる。その結果、この画像読取装置１では、小型化を実現できる。
【００７７】
したがって、実施例の画像読取装置１では、小型化を実現しつつ、無線通信モジュール１００の通信性能を維持することができる。
【００７８】
また、この画像読取装置１では、シートＳＨより幅狭のカードＣＡを第２搬送ガイド部２０により案内し、搬送ガイド部１０に合流させることができる。そして、第２搬送ガイド部２０が左右方向において分離ローラ４８と無線通信モジュール１００との間に設けられていることにより、小型化を確実に実現できる。また、第２搬送ガイド部２０を搬送ガイド部１０に対しておおよそ真っ直ぐに連続するように設けることが容易である。これにより、肉厚で曲り難い樹脂製カード等のカードＣＡが第２搬送ガイド部２０及び搬送ガイド部１０により案内される際に、そのカードＣＡを良好に搬送できる。
【００７９】
さらに、この画像読取装置１では、収容部３３Ｗとカバー３３Ｃとによって区画される内部空間３３Ｓに、マイクロスイッチ１３１、１３６及びホルダ部１３０が無線通信モジュール１００とともに収容されている。ここで、ホルダ部１３０は、樹脂材料からなることにより、無線通信モジュール１００によって送受信される電波を阻害し難い。ホルダ部１３０に保持されたマイクロスイッチ１３１、１３６もそれ自体が極めて小型であり、小さな金属接点が内蔵されているだけであるので、無線通信モジュール１００によって送受信される電波を阻害し難い。このため、この画像読取装置１では、無線通信モジュール１００の通信性能を維持しつつ、第１側壁部３３Ｒの周辺のスペースを有効活用できる。
【００８０】
また、この画像読取装置１では、無線通信モジュール１００が筐体３０の右端側から左端側に向かって変位することにより、無線通信モジュール１００のピン部１０１Ｐが、制御基板５４のコネクタ５４Ｃに嵌入する。これにより、この画像読取装置１では、制御基板５４と無線通信モジュール１００との電気的接続にワイヤハーネスが介在しないので、ノイズの影響を受け難い。また、この画像読取装置１では、ホルダ部１３０が無線通信モジュール１００に対して筐体３０の右端側から隣接し、スポンジシート１０１Ｓに当接している。これにより、この画像読取装置１では、無線通信モジュール１００が筐体３０の右端側に向けて変位し難いので、コネクタ５４Ｃからピン部１０１Ｐが抜けることを防止できる。
【００８１】
以上において、本発明を実施例に即して説明したが、本発明は上記実施例に制限されるものではなく、その趣旨を逸脱しない範囲で適宜変更して適用できることはいうまでもない。
【００８２】
例えば、ホルダ部に金属部材が組み付けられたり、インサート成形されてもよい。この場合、その金属部材によるホルダ部の電磁遮蔽性能を低下を抑制するため、樹脂材料からなるホルダ部の形状変更を容易に実施できる。
【産業上の利用可能性】
【００８３】
本発明は画像読取装置又は複合機等に利用可能である。
【符号の説明】
【００８４】
１…画像読取装置、ＳＨ、ＣＡ…媒体
ＳＨ…シート（第１導入口から挿入される媒体）
ＣＡ…カード（第２導入口から挿入される媒体）
３０…筐体、３３Ｒ…第１側壁部、３３Ｌ…第２側壁部
１０…搬送ガイド部、２０…第２搬送ガイド部、５４…制御基板
５５…読取部、５５Ｒ…読取部の第１端部、５５Ｌ…読取部の第２端部
４０…搬送部、４０Ｍ…駆動源、４８…分離ローラ、４８Ｓ…駆動軸
４８Ｒ…分離ローラの第１側壁部側の端面
１００…無線通信モジュール、１０２…無線通信回路、１０１…回路基板
１０３…アンテナ、５４Ｃ…コネクタ、１０１Ｐ…ピン部
３１、３６…付属部材（３１…第１シュート部材、３６…シートトレイ）
１３０…ホルダ部、１３１、１３６…マイクロスイッチ（検出部）
【図１】
2014195186.tif 000003
【図２】
2014195186.tif 000004
【図３】
2014195186.tif 000005
【図４】
2014195186.tif 000006
【図５】
2014195186.tif 000007
【図６】
2014195186.tif 000008
【図７】
2014195186.tif 000009
【図８】
2014195186.tif 000010
【図９】
2014195186.tif 000011
【図１０】
2014195186.tif 000012
【図１１】
2014195186.tif 000013